(57)【要約】  【課題】可視的表示を含む演奏データを取得した際に、電子音楽装置側で可視的表示を制限する。  【解決手段】取得する演奏データに可視的表示の一部又は全部を非表示に制限する制限情報が含まれている場合に、可視的表示を非表示として制限する。特に、演奏データをダウンロード形式で取得した場合に前記非表示制限をし、演奏データをストリーミング形式で取得した場合には、制限情報が含まれている場合であっても前記非表示制限をしない。  【選択図】図３
2008096903.tif 000002
【特許請求の範囲】
【請求項１】
取得した演奏データに基づいて演奏及び可視的表示を行う電子音楽装置において、取得する演奏データに可視的表示を非表示に制限する制限情報が含まれていることを検出する検出手段と、
検出手段により検出された制限情報に基づいて可視的表示を非表示として制限する制限手段であって、取得される演奏データが恒久的に記憶する記憶媒体に保存され、該記憶媒体から読み出しする形式のものである場合にのみ、可視的表示を非表示として制限する制限手段と、
を備えていることを特徴とする電子音楽装置。
【請求項２】
取得した演奏データに基づいて演奏及び可視的表示を行う電子音楽装置に適用されるコンピュータプログラムにおいて、
演奏データを取得するステップと、
取得した演奏データを恒久的に記憶する記憶手段に記憶するステップと、
記憶した演奏データに可視的表示を非表示に制限する制限情報が含まれていることを検出するステップと、
演奏データに可視的表示を非表示に制限する制限情報が含まれていることを検出した際に、前記記憶手段から読み出される可視的表示を非表示として制限するステップと、
を含むことを特徴とするコンピュータプログラム。
【発明の詳細な説明】
【技術分野】
【０００１】
本発明は、本発明は、取得した音楽コンテンツに基づいて演奏する電子音楽装置及びそのコンピュータプログラムに関する。
【背景技術】
【０００２】
本発明に関連する先行技術文献情報として、例えば、次の特許文献１がある。
【特許文献１】特開２００５−１８９７６１号公報
【０００３】
例示した特許文献１には、音楽コンテンツ配信サーバからダウンロード配信された音楽コンテンツを記憶媒体に保存した後、一時記憶手段に読み出し、このコンテンツを用いて演奏及び楽譜表示を行い、又、音楽コンテンツ配信サーバからストリーミング配信された音楽コンテンツを一時記憶手段に一時的に記憶し、このコンテンツを用いて演奏及び楽譜表示を行う電子音楽装置及びそのプログラムが開示されている。
【発明の開示】
【発明が解決しようとする課題】
【０００４】
ところで、例示した特許文献１のような電子音楽装置のように、ストリーミング配信及びダウンロード配信された音楽コンテンツにおいて、演奏による音楽利用及び楽譜表示による可視的利用が可能なものである場合、音楽利用料の他に可視的表示による可視的利用料を請求される。
すなわち、前記電子音楽装置では、音楽コンテンツ配信側が、可視的表示を望まない場合でも、電子音楽装置側の機能によって可視的表示がされてしまうので著作権利用料の負担増という点で好ましいものではなく、特に、ダウンロード配信はストリーミング配信に比べて著作権利用料において負担が大きいものであるため、著作権利用料の負担軽減を配慮した可視的表示の制限が望まれている。
更に、著作権者が可視的表示を望まない（許可しない）場合、このような可視的表示が可能な電子音楽装置向けに音楽コンテンツを提供すること自体を拒むことも考えられ、音楽コンテンツが提供されないとなると、リスニング用の音楽コンテンツを利用しようと考えるユーザにとって大変な不利益であって、この点からも可視的表示の制限が望まれている。
【０００５】
本発明は、可視的表示を含む演奏データを取得した際に、電子音楽装置側で可視的表示を制限することを課題とし、この課題を解決する電子音楽装置及びそのプログラムの提供を目的とする。
【課題を解決するための手段】
【０００６】
前記目的を達成するため、本発明が採用した技術的手段は、取得した演奏データに基づいて演奏及び可視的表示を行う電子音楽装置において、取得する演奏データに可視的表示の一部又は全部を非表示に制限する制限情報が含まれていることを検出する検出手段と、該検出手段により検出された制限情報に基づいて可視的表示を非表示として制限する制限手段であって、取得される演奏データが、恒久的に記憶する記憶媒体に保存され、該記憶媒体から読み出しする形式のものである場合にのみ、可視的表示を非表示として制限する制限手段とを備えていることを特徴とする電子音楽装置にしたことである。
【０００７】
本発明でいう演奏データとは、楽曲を演奏する曲データ、演奏される楽曲の楽譜や歌唱に用いられる歌詞等であり、この内、可視的表示とは楽譜や歌詞等である。
又、取得する演奏データは、配信サーバから通信ネットワークにより配信される形態、又は、光ディスクや磁気ディスク等の記憶媒体に記憶された形態のいずれも含む。
又、取得される演奏データの形式として、取得される演奏データが恒久的に記憶する記憶媒体に保存され、該記憶媒体から任意に読み出しする形式のものや、取得される演奏データが一時記憶部に記憶された後実行され又は一時記憶部に順次記憶されながら実行され、該演奏データの実行後に削除される形式のものを含む。
尚、前者の形式は、ダウンロード形式と呼ばれるものであり、後者の形式は、例えば、通信ネットワーク配信の場合にストリーミング形式と呼ばれるものである。
すなわち、本発明は、取得される演奏データが恒久的に記憶する記憶媒体に保存され、該記憶媒体から読み出しする形式（ダウンロード形式）のものである場合にのみ、可視的表示の一部又は全部を非表示として制限することができる。
【０００８】
前記電子音楽装置に適用されるコンピュータプログラムとして、取得した演奏データに基づいて演奏及び可視的表示を行う電子音楽装置に適用されるコンピュータプログラムにおいて、演奏データを取得するステップと、取得した演奏データを恒久的に記憶する記憶手段に記憶するステップと、記憶した演奏データに可視的表示を非表示に制限する制限情報が含まれていることを検出するステップと、演奏データに可視的表示を非表示に制限する制限情報が含まれていることを検出した際に、前記記憶手段から読み出される可視的表示を非表示として制限するステップとを含むことを特徴とするコンピュータプログラムにしたことである。
【発明の効果】
【０００９】
本発明の電子音楽装置によれば、可視的表示を含む演奏データを取得した際に、電子音楽装置側で可視的表示を制限可能にすることができる。
特に、著作権利用料の負担が大きい形式の演奏データに対する著作権利用料の負担軽減という点で有効である。
したがって、著作権利用料の負担軽減を配慮するとともに、著作権者から音楽コンテンツの提供の許諾を得やすくする点を配慮した可視的表示の制限を実現できる。
【００１０】
以下、本発明に係る電子音楽装置を実施するための最良の形態を図面に基づいて説明する。
尚、本形態では、取得する演奏データが、コンテンツ配信サーバから通信ネットワークを介して配信され、恒久的に記憶する記憶媒体に保存され、該記憶媒体から任意に読み出しする形式であるダウンロード形式と、同じく通信ネットワークを介して配信され、一時記憶部に記憶された後実行され又は一時記憶部に順次記憶されながら実行され、該演奏データの実行後に削除される形式であるストリーミング形式とした形態を例示する。  
【００１１】
図１は、本形態の電子音楽装置の概略構成を示すブロック図である。
本形態の電子音楽装置Ａは、音高情報を入力するための鍵盤を含む演奏操作子１と、各種情報を入力するための複数のスイッチを含む設定操作子２と、演奏操作子１の操作状態を検出する検出回路３と、設定操作子２の操作状態を検出する検出回路４と、装置全体の制御を司るＣＰＵ５と、該ＣＰＵ５が実行する制御プログラムや、各種テーブルデータ等を記憶するＲＯＭ６と、演奏データ、各種入力情報及び演算結果等を一時的に記憶するＲＡＭ７と、タイマ割込み処理における割込み時間や各種時間を計時するタイマ８と、各種情報等を表示する表示部９と、各種表示状態等を検出する表示回路９１と、前記制御プログラムを含む各種アプリケーションプログラムや各種楽曲データ、各種データ等を記憶する記憶装置１０と、外部のＭＩＤＩ（Musical Instrument Digital Interface）機器１１０からのＭＩＤＩ信号を入力したり、ＭＩＤＩ信号を外部に出力したりするＭＩＤＩインターフェース（Ｉ／Ｆ）１１と、通信ネットワーク１０１を介して、コンテンツ配信サーバ（以下、「サーバ」という）１０２とデータの送受信を行う通信インターフェース（Ｉ／Ｆ）１２と、演奏操作子１から入力された演奏データや予め設定された演奏データ等を楽音信号に変換する音源回路１３と、該音源回路１３からの楽音信号に各種効果を付与するための効果回路１４と、該効果回路１４からの楽音信号を音響に変換する、例えば、ＤＡＣ（Digital-to-Analog Converter）やアンプ、スピーカ等のサウンドシステム１５とにより構成されている。
【００１２】
上記構成要素３〜７、１０〜１４、９１は、バス１６を介して相互に接続され、ＣＰＵ５にはタイマ８が接続され、ＭＩＤＩＩ／Ｆ１１には他のＭＩＤＩ機器１１０が接続され、通信Ｉ／Ｆ１２には通信ネットワーク１０１が接続され、音源回路１３には効果回路１４が接続され、効果回路１４にはサウンドシステム１５が接続され、表示回路９１には表示部９が接続されている。
【００１３】
記憶装置１０としては、例えば、フレキシブルディスクドライブ（ＦＤＤ）、ハードディスクドライブ（ＨＤＤ）、ＣＤ−Ｒ／ＲＷドライブ及び光磁気ディスク（ＭＯ）ドライブ等が挙げられる。
これらの記憶装置（ドライブ）１０には、データを書込み可能、且つ恒久的に保存することができる記憶装置（例えば、フレキシブルディスクやハードディスク等のディスク型記憶装置）が装着又は内蔵されている。
尚、前記ディスク型記憶装置に限らず、データを恒久的（不揮発的）に保存できる記憶装置であれば良く、例えばフラッシュメモリ等の半導体メモリでも良い。
そして、記憶装置１０には、前述のように、ＣＰＵ５が実行する制御プログラムも記憶でき、ＲＯＭ６に制御プログラムが記憶されていない場合には、この記憶装置１０に制御プログラムを記憶させておき、それをＲＡＭ７に読み込むことにより、ＲＯＭ６に制御プログラムを記憶している場合と同様の動作をＣＰＵ５にさせることができる。
このようにすると、制御プログラムの追加やバージョンアップ等が容易に行える。
【００１４】
ＭＩＤＩＩ／Ｆ１１は、専用のものに限らず、ＲＳ−２３２ＣやＵＳＢ（ユニバーサル・シリアル・バス）、ＩＥＥＥ１３９４（アイトリプルイー１３９４）等の汎用のインターフェースより構成してもよい。この場合、ＭＩＤＩメッセージ以外のデータをも同時に送受信してもよい。
【００１５】
通信Ｉ／Ｆ１２は、上述のように、たとえばＬＡＮ（Local Area Network）やインターネット、電話回線等の通信ネットワーク１０１に接続されており、該通信ネットワーク１０１を介して、サーバ１０２に接続される。
記憶装置１０に上記各プログラムや各種楽曲データが記憶されていない場合には、通信Ｉ／Ｆ１２は、サーバ１０２からプログラムや各種楽曲データをダウンロードするために用いられる。
クライアントとなるコンピュータ（本実施の形態では、電子音楽装置）は、通信Ｉ／Ｆ１２及び通信ネットワーク１０１を介してサーバ１０２へとプログラムや各種楽曲データのダウンロードを要求するコマンドを送信する。
サーバ１０２は、このコマンドを受け、要求されたプログラムや各種楽曲データを、通信ネットワーク１０１を介してコンピュータへと配信し、コンピュータが通信Ｉ／Ｆ１２を介して、これらプログラムや楽曲データを受信して記憶装置１０に蓄積することにより、ダウンロードが完了する。
【００１６】
図２は、本形態の電子音楽装置Ａ及びサーバ１０２の機能構成を概略的に示すブロック図である。
サーバ１０２内の記憶装置（図示せず）には、複数のストリーミングコンテンツ及び複数のダウンロードコンテンツからなるコンテンツファイル１０２ａと、コンテンツファイル１０２ａに含まれる各ストリーミングコンテンツ及び各ダウンロードコンテンツに夫々対応付けられた再生態様規定情報からなる再生態様規定ファイル１０２ｂと、コンテンツファイル１０２ａに含まれる各ストリーミングコンテンツ及び各ダウンロードコンテンツの配信に関するページデータからなるコンテンツ配信ページデータ１０２ｃとが予め記憶されている。
尚、前記再生態様規定ファイルやコンテンツ配信ページデータは、電子音楽装置Ａからのアクセスのたびに動的に生成されるものでもよい。
【００１７】
一方電子音楽装置Ａには、再生態様規定ファイル１０２ｂやコンテンツ配信ページデータ１０２ｃにアクセスし、これを取得するブラウザ部１７と、取得したコンテンツファイル１０２ａを再生制御する再生制御部１８とが備えられ、このブラウザ部１７と再生制御部１８は通信ネットワーク１０１を介してサーバ１０２に接続されている。
そして、取得された再生態様規定ファイル１０２ｂやコンテンツ配信ページデータ１０２ｃの内容が表示される。
又、取得されたコンテンツファイル１０２ａは、配信タイプに応じて一時的（揮発的）に記憶する一時記憶部（ＲＡＭ）１９や恒久的に保存し読み出し可能な記憶媒体（記憶装置１０内の記憶媒体）２０に記憶される。
又、記憶されたコンテンツファイル１０２ａの内容に基づいて、演奏を再生したり可視的表示したりする。
【００１８】
次に、以上のように構成された電子音楽装置Ａが実行する制御処理を、図３乃至図６に基づいて説明する。
図３は、本形態の電子音楽装置がＳＭＦ形式のコンテンツファイルを再生／可視的情報の表示又は非表示とする機能構成を概略的に示すブロック図である。
図４乃至図６は、本形態の電子音楽装置が実行する、ストリーミング配信及びダウンロード配信されるコンテンツに対する処理の各手順を示すフローチャートである。
【００１９】
本実施の形態の電子音楽装置Ａは、主として次の処理を行う。
（１）ストリーミングコンテンツの自動演奏（自動再生）／可視的情報表示処理
（２）ダウンロードコンテンツの演奏（再生）／可視的情報非表示処理
【００２０】
本形態におけるダウンロードコンテンツファイル及びストリーミングコンテンツファイルは、主として演奏用（リスニング用）に製作されたＳＭＦ形式のファイルであり、各コンテンツファイルには、夫々、演奏情報や可視的表示制限情報が含まれている。
又、各コンテンツファイルには、データ長、フォーマットの種類、トラック数、分解能等が記述されるヘッダチャンクや、実際の演奏データ、可視的表示制限情報が格納されるイベントデータ、当該イベントデータが発生するタイミングを規定するタイミングデータが記述されるトラックチャンクが含まれている。
尚、前記可視的表示制限情報は、一例としてシステムエクスクルーシブメッセージにて記述することができる。
すなわち、この可視的表示制限情報は、トラックチャンク（複数のトラックチャンクが存在する場合には、その内の可視的表示に関連するトラック、例えば、メロディトラックのチャンク）内の先頭部分（タイミングが「０」の位置）、あるいは先頭に近い部分（例えば、最初のＭＩＤＩイベントデータが出現するタイミングよりも前の任意の位置）に配置することにより、該情報をサーチする際にすばやく検出することができるからである。
又、楽譜表示（例えば、五線譜上への音符や音楽記号の表示、タブ譜表示、ピアノロール表示等）は、演奏情報を元に、これらの表示に使用する情報を生成することにより行う。
本形態における再生態様規定ファイルには、配信するコンテンツのタイプを規定する配信タイプ規定情報及び演奏する際の再生コンテンツリスト情報が含まれている。
前記再生コンテンツリスト情報には、１乃至複数のコンテンツについて、コンテンツファイルＵＲＬ等が含まれている。
本形態におけるコンテンツ配信ページデータには、コンテンツを検索し、ダウンロードするための各種配信ページが含まれ、特に、コンテンツ検索結果ページには、上記再生態様規定ファイルへのリンク情報（ＵＲＬ）が含まれている。
配信ページの内容や配信される楽曲名や演奏者名及び歌手名等の各種リンク情報が含まれている。
【００２１】
電子音楽装置Ａにおいてサーバ１０２からコンテンツファイル１０２ａを取得する手順を説明すると、ユーザが設定操作子２を操作してブラウザプログラムを起動させると、ブラウザ部１７は、サーバ１０２の配信ページにアクセスして、サーバ１０２にコンテンツ配信ページデータ１０２ｃを要求する（ステップＳ１）。
サーバ１０２は、この要求に応答して、コンテンツ配信ページデータ１０２ｃをブラウザ部１７に送信する（ステップＳ２）。
ブラウザ部１７は、コンテンツ配信ページデータ１０２ｃを受信し、受信したコンテンツ配信ページデータ１０２ｃにより表わされたコンテンツ配信ページ１０２ｃを表示部９に表示する（ステップＳ３）。
このとき、表示部９に表示される内容として、図７（ａ）に示すように、コンテンツ配信ページ中に表示されるリンクＬである「ジャンルで探す」「アーティストで探す」「曲名で探す」が表示される。
そして、ユーザがコンテンツ配信ページ中に表示されているリンクの「曲名で探す」を選択すると、ブラウザ部１７は、図７（ｂ）の曲名による検索ページをサーバ１０２に要求し、サーバ１０２は、要求に応じて該検索ページデータをブラウザ部１７へと送信し、このときブラウザ部１７では、受信した検索ページデータに基づき検索ページを表示する（図示は省略するが、ステップＳ１乃至ステップＳ３と略同様である。）。
そして、ユーザは、ブラウザ部１７において、図７（ｂ）の検索ページ中に表示されている検索条件入力枠Ｌ１に検索条件（例えば「夏が」）を入力し、検索ボタンを操作すると、ブラウザ部１７は、サーバ１０２に対して該入力した検索条件を含むコンテンツの検索結果ページをサーバ１０２に要求し、サーバ１０２は、要求に応じて曲名に前記検索条件を含むコンテンツをデータベースからサーチし、サーチ結果に基づき検索結果ページを生成してブラウザ部１７へと送信し、このときブラウザ部１７では、受信した図７（ｃ）の検索結果ページを表示する（図示は省略するが、ステップＳ１乃至ステップＳ３と略同様である。）。
検索結果ページには、図７（ｃ）に示すように、図７（ｂ）で検索したワードが含まれる曲名と、該曲名に対応したコンテンツのダウンロードを指示するボタンＤＬとストリーミングを指示するボタンＳＴが表示されている。
ユーザが所望する曲名のコンテンツ及びその配信形態に応じたボタンをユーザが選択すると、ブラウザ部１７は、選択されたボタンに埋め込まれているこのリンクＬ２に対応した再生態様規定ファイル１０２ｂをサーバ１０２に要求する（ステップＳ４）。
すると、サーバ１０２は、要求に応答して、要求された再生態様規定ファイル１０２ｂをブラウザ部１７に送信する（ステップＳ５）。
【００２２】
このようにして、特定の再生態様規定ファイル１０２ｂがサーバ１０２からブラウザ部１７に送信されると、ブラウザ部１７は、再生態様規定ファイル１０２ｂを受信して再生制御部１８に供給する（ステップＳ６）。
一方、再生制御部１８は、この供給された再生態様規定ファイル１０２ｂを用いて、再生制御ルーチンの処理を実行する（ステップＳ７）。
このとき、サーバ１０２は、再生制御部１８の要求により、コンテンツファイル１０２ａを送信する（ステップＳ８）。
その際、図３の暗号化部２６において、例えばＳＳＬ（セキュアソケットレイヤ）方式に基づきコンテンツファイル１０２aを暗号化した後に、電子音楽装置へとコンテンツファイル１０２ａを送信する。
再生制御ルーチンにおいては、図５に示すように、前記供給された再生態様規定ファイル中の配信タイプデータがダウンロード及びストリームのいずれの配信タイプを規定しているかを判定する（ステップＳ９）。
【００２３】
再生態様規定ファイル１０２ｂ中の配信タイプデータが配信タイプとしてストリーミングを規定していれば、再生制御部１８は、再生コンテンツファイルリストに基づき1乃至複数のコンテンツファイル１０２ａを順次取得するとともに、複号化部２１で複号化（ステップＳ１０）し、該コンテンツファイルを一時記憶部１９に一時保存（ステップＳ１１）した後に、演奏情報を自動演奏部２２で自動的に再生するとともに、演奏情報から可視的情報を生成して、該可視的情報を表示部９に表示する（ステップＳ１２）。
その際、後述するダウンロード時のような可視的表示制限情報のサーチを行わないようにしている。
前述したように、ストリーミング配信においては、ダウンロード配信に比べて可視的表示に関する著作権利用料の負担が小さいため、著作権利用料の負担増を避けるべく可視的表示制限情報を含ませたコンテンツであっても、可視的表示を許容するようにしている。
尚、コンテンツファイル内に含まれる演奏情報に基づいて可視的情報（楽譜表示情報）を生成する技術は公知であるので詳細な説明は省略するが、この技術として、例えば、特開２００２−２５８８３７号等に記載されている技術を採用することができる。
このとき、再生制御部１８が、表示部９の表示画面を、ブラウザ表示から可視的表示に切り替える。
再生が終了（ステップ１３）すると、再生制御部１８が一時保存されたコンテンツファイル１０２ａを削除（ステップＳ１４）する。
このように、本形態におけるストリーミング配信とは、コンテンツファイル全体を一旦、一時記憶部１９に保存した後、再生が終わると一時記憶部１９から削除するような、疑似ストリーミング配信の技術を採用している。
再生終了毎に削除するルーチンを、再生コンテンツリストの最後まで達するまで継続する（ステップＳ１５）。
このとき、全てのコンテンツファイルの再生が終了すると、再生制御部１８が表示部９の表示画面を、可視的表示からブラウザ表示に切り替える。
【００２４】
一方ダウンロードが規定されていれば、再生制御部１８は、再生態様規定ファイル中の再生コンテンツリストを用いて、コンテンツＵＲＬによって指定される全てのコンテンツファイル１０２ａをサーバ１０２から取得し、複号化部２１でこの電子音楽装置Ａ特有の暗号キーにより複号化する（ステップ１６）。
取得された全てのコンテンツファイル１０２ａは、再暗号化部２２で暗号化（ステップＳ１７）され、記憶媒体２０に保存（ステップＳ１８）される。
記憶媒体２０に保存されたコンテンツファイル１０２ａを再生する場合には、ブラウザ表示からファイル選択画面に切替え、記憶媒体１８から保存されたコンテンツファイル１０２ａを任意に選択し、これを再生指示（ステップＳ１９）すると、再生制御部１８が読み出して再複号化部２３で複号化（ステップ２０）し、一時記憶部１９に一時保存（ステップＳ２１）する。
一時記憶部１８に一時保存されたコンテンツファイル１０２ａは、制限手段の一部を構成する可視的表示制限情報検出部（検出手段）２４で可視的表示制限情報をサーチ（ステップＳ２２）し、その結果、該可視的表示制限情報が含まれていて、該情報が可視的表示無効である場合（ステップＳ２３）には、制限手段の一部を構成する可視的表示制限部（制限手段）２５で可視的表示を無効（ステップＳ２４）とし、可視的表示情報を非表示（例えば、可視的表示画面に切替えることを禁止する、あるいは、可視的表示画面に切替えることはできるが該画面内には、該コンテンツファイルに基づく可視的表示を行わない等。）として演奏を再生（ステップＳ２５）する。
又、可視的表示制限情報が含まれていて、該情報が可視的表示有効である場合又は可視的表示制限情報が含まれていない場合には、可視的表示情報を表示して演奏を再生（ステップＳ２５）する。
そして、再生が終了（ステップＳ２６）すると、一時保存されたコンテンツファイルを削除（ステップＳ２７）するとともに、可視的表示を有効（初期値）（ステップＳ２８）にする。
前記ステップＳ１９において、コンテンツファイルの選択及び再生指示がされない場合には、その他の処理（ステップＳ２９）、例えば、ダウンロードの終了処理や再度ステップＳ８に戻って、新たに配信タイプの選択処理、あるいは、システムのシャットダウン等を行う。
【００２５】
尚、本形態では、電子音楽装置の可視的表示の可否を示す初期状態が可視的表示を表示するものであり、可視的表示制限情報が可視的表示無効である場合に可視的表示を非表示にする形態を例示しているが、本発明では、初期状態を、可視的表示を非表示にするものとし、可視的表示制限情報が可視的表示無効である場合に非表示を維持し、有効である場合に表示するように制御することもできる。
又、複数種類の可視的表示が可能であり、可視的表示制限情報が可視的表示の一部を無効とする情報である場合には、無効とされた可視的表示情報以外の情報を表示する制御をすることもできる。
つまり、複数種類の可視的表示の夫々に対応した複数種類の可視的表示制限情報を合わせるようにし、可視的表示の種類ごとに可視的表示の可否を制御できるようにしても良い。
例えば、コンテンツファイルが演奏用の演奏情報（ＭＩＤＩイベントデータ）と歌唱音声合成用の歌詞情報とを含み、可視的表示が演奏情報に基づく楽譜表示と歌詞情報に基づく歌詞表示である場合、楽譜表示制限情報と歌詞表示制限情報の双方をコンテンツファイルに含ませ、楽譜表示と歌詞表示とを夫々独立して制限するようにしても良いし、あるいは、全ての可視的表示を制限する制限情報を含ませ、楽譜表示、歌詞表示ともに制限するようにしても良い。
又、本形態の電子音楽装置は、電子楽器上に構築されたものであるが、電子楽器以外の専用装置や汎用的なパーソナルコンピュータ上に構築してもよい。
又、本発明においては、例示するＳＭＦ形式以外のファイル形式で配信されるコンテンツファイルにも適用可能である。
又、本発明におけるダウンロードとストリーミングを切り替え制御の他例として、ダウンロードコンテンツファイルと、ストリーミングコンテンツファイルを別ファイルフォーマットとし、取得するファイルフォーマットに応じてダウンロードとストリーミングを切り替える制御が挙げられる。
又、本発明におけるストリーミングの方法の他例として、コンテンツファイルを部分単位で取得し、再生可能な量が蓄積される都度再生を行う方法が挙げられる。
又、本形態では、配信形態がダウンロードの場合には、可視的表示制限情報をコンテンツファイル内からサーチし、サーチ結果に応じて可視的表示の制限をする一方、ストリーミングの場合には、可視的表示制限情報のサーチ自体を省略する例を示した。
しかしながら、ストリーミングの場合であっても、可視的表示制限情報をサーチするようにしても良く、特に、制限をすべき可視的表示要素が複数種類ある場合に、ある表示要素は表示制限不要であっても他の可視的表示要素は表示制限が必要なこともあり得るため、このような場合には、ストリーミングであったとしても可視的表示制限情報のサーチは必須である。
尚、前述したストリーミング配信の場合に著作権利用料の軽減があるのは、日本特有の事情によるものである。
具体的には、日本の場合、多くの楽曲が日本社団法人音楽著作権協会（ＪＡＳＲＡＣ）の管理曲とされており、ＪＡＳＲＡＣ管理曲であれば、どの曲であってもリスニング用に作成された音楽コンテンツを元に可視的表示を行うことが認められているとともに、その著作権利用料は、ストリーミング配信ならばリスニングのみの場合と差がないとされている（ダウンロード配信の場合は、利用料に差があり得る。）
一方、日本国外においては、著作権者との個別交渉により可視的表示を許可するか否か、そして許可する場合の利用料が決定されることが多く、ストリーミング配信であっても可視的表示を許可しない場合や、許可したとしても利用料が高額となる場合もあり得る。
このため、電子音楽装置の仕向け地設定（例えば、電子音楽装置に備えられているディップスイッチにより、メーカーからの出荷時に仕向け地を設定する）を判別し、仕向け地が日本に設定されている場合には、可視的表示制限情報によらずストリーミング配信の際の可視的表示を許可するようにし、一方、日本以外に設定されている場合には、ストリーミング配信であっても可視的表示制限情報に従うように制御を切替えるのが望ましい。
尚、今後、日本以外の特定の国においても日本と同様の事情が生じることがあり得るので、そのような場合には、該特定の国についても日本と同様の扱いとする。
すなわち、少なくとも日本を含む特定の仕向け地において、前述のような制御をすれば良い。
【００２６】
電子音楽装置が可視的表示制限情報に対応していない場合、例えば、サーバ側でコンテンツ配信を要求してきた電子音楽装置が可視的表示制限情報に対応しているか否かをチェックし、非対応であれば配信を拒否したり、対応機種の利用あるいはプログラムのバージョンアップを案内したりする制御、あるいは、コンテンツファイル内に該コンテンツのバージョン情報を含むようにするとともに、電子音楽装置側のプログラムが、自身が処理可能な音楽コンテンツのバージョン情報を保持するようにし、電子音楽装置側で音楽コンテンツのバージョンをチェックしてメッセージに対応しているか否かを判断するようにしてもよい。
【００２７】
又、可視的表示制限情報が含まれていないコンテンツファイルの可視的表示制限を行う制御として、例えば、取得した演奏データに基づいて演奏及び可視的表示を行う電子音楽装置において、取得する演奏データが恒久的に記憶する記憶媒体に保存され、該記憶媒体から読み出しするダウンロード形式のものである場合にのみ、可視的表示の一部又は全部を非表示として制限する制御が挙げられる。
【図面の簡単な説明】
【００２８】
【図１】本発明に係る電子音楽装置の概略構成の一形態を示すブロック図。
【図２】本発明に係る電子音楽装置及びサーバの機能構成の一形態を概略的に示すブロック図。
【図３】本発明に係るＳＭＦ形式のコンテンツファイルを再生／可視的情報の表示又は非表示とする機能構成の一形態を概略的に示すブロック図。
【図４】コンテンツ配信プログラム及びブラウザプログラム並びに再生制御プログラムを示すフローチャート。
【図５】再生制御ルーチンのストリーミング配信制御の全部と、ダウンロード配信制御の前半部を示すフローチャート。
【図６】再生制御ルーチンのダウンロード配信制御の後半部を示すフローチャート。
【図７】（ａ）〜(ｃ)表示部の表示例を示す概略図。
【符号の説明】
【００２９】
Ａ：電子音楽装置
１０１：通信ネットワーク
１０２：コンテンツ配信サーバ
１０２ａ：コンテンツファイル
１０２ｂ：再生態様規定ファイル
１０２ｃ：コンテンツ配信ページデータ
９：表示部
１５：サウンドシステム
１７：ブラウザ部
１８：再生制御部
１９：一時記憶部
２０：記憶媒体
２４：可視的表示制限情報検出部
２５：可視的表示制限部
【図１】
2008096903.tif 000003
【図２】
2008096903.tif 000004
【図３】
2008096903.tif 000005
【図４】
2008096903.tif 000006
【図５】
2008096903.tif 000007
【図６】
2008096903.tif 000008
【図７】
2008096903.tif 000009